(57)【要約】【課題】画像の明るさの変化を認識され難くする技術を提供する。【解決手段】表示装置は、画像を表示する表示部と、周囲の明るさを測定して周囲の明るさを示す明るさ情報を出力する測定部と、明るさ情報に応じて画像の明るさを制御する制御部と、を備える。制御部は、明るさ情報に応じて、画像の明るさの変更に要する時間を変更する。【選択図】図２
2018054784.tif 000002
【特許請求の範囲】
【請求項１】
画像を表示する表示部と、
周囲の明るさを測定して前記周囲の明るさを示す明るさ情報を出力する測定部と、
前記明るさ情報に応じて、前記画像の明るさを制御する制御部と、を備え、
前記制御部は、前記明るさ情報に応じて、前記画像の明るさの変更に要する時間を変更することを特徴とする表示装置。
【請求項２】
前記表示部は、
光を射出する光源と、
前記光源が射出した光を変調して前記画像を生成する光変調部と、を備え、
前記制御部は、前記明るさ情報に応じて、前記光源が射出する光の量の変更に要する変更時間を変更することを特徴とする請求項１に記載の表示装置。
【請求項３】
前記光源の点灯を指示する光源点灯指示を受け取る受取部をさらに備え、
前記制御部は、前記受取部が前記光源点灯指示を受け取ったときの前記明るさ情報に応じて前記変更時間を変更することを特徴とする請求項２に記載の表示装置。
【請求項４】
前記制御部は、前記受取部が前記光源点灯指示を受け取ったときの前記明るさ情報が示す周囲の明るさが暗いほど、前記変更時間を長くすることを特徴とする請求項３に記載の表示装置。
【請求項５】
前記制御部は、さらに、前記画像の明るさを変更している間の前記明るさ情報に応じて前記画像の明るさの変更に要する時間を変更することを特徴とする請求項１から４のいずれか１項に記載の表示装置。
【請求項６】
表示装置と、前記表示装置と通信する測定装置と、を含み、
前記測定装置は、
周囲の明るさを測定して前記周囲の明るさを示す明るさ情報を出力する測定部と、
前記明るさ情報を前記表示装置に送信する送信部と、を含み、
前記表示装置は、
画像を表示する表示部と、
前記明るさ情報を受信する受信部と、
前記明るさ情報に応じて、前記画像の明るさを制御する制御部と、を含み、
前記制御部は、前記明るさ情報に応じて、前記画像の明るさの変更に要する時間を変更することを特徴とする表示システム。
【請求項７】
画像を表示し、
周囲の明るさを示す明るさ情報を応じて、前記画像の明るさの変更に要する時間を変更することを特徴とする画像の明るさ変更方法。
【発明の詳細な説明】
【技術分野】
【０００１】
本発明は、画像の明るさを制御する技術に関する。
【背景技術】
【０００２】
特許文献１には、ＬＥＤ（light emitting diode）が発した光を利用して画像を投射するプロジェクターが記載されている。このプロジェクターは、周囲の明るさに応じて、ＬＥＤへ印加する電圧を決定し、その決定した電圧をＬＥＤに印加する。このため、このプロジェクターでは、ＬＥＤに印加する電圧の切り換えに応じて画像の明るさが急激に切り換わる。
【先行技術文献】
【特許文献】
【０００３】
【特許文献１】特開２００７−１６３９８８号公報
【発明の概要】
【発明が解決しようとする課題】
【０００４】
特許文献１に記載のプロジェクターでは、ＬＥＤへの印加電圧の切り換えに応じて画像の明るさが急激に切り換わるので、画像の明るさの変更に要する時間が非常に短い。このため、周囲が暗い状況で画像の明るさが変化する場合、画像の明るさの変化が目立ってしまい、この変化がユーザーに認識されやすくなる。ユーザーは、画像の明るさの変化を認識した場合、この変化に対して違和感を覚えるおそれがある。
【０００５】
本発明は上述した事情に鑑みてなされたものであり、画像の明るさの変化を認識され難くする技術を提供することを解決課題とする。
【課題を解決するための手段】
【０００６】
本発明の表示装置の一態様は、画像を表示する表示部と、周囲の明るさを測定して前記周囲の明るさを示す明るさ情報を出力する測定部と、前記明るさ情報に応じて、前記画像の明るさを制御する制御部と、を備え、前記制御部は、前記明るさ情報に応じて、前記画像の明るさの変更に要する時間を変更することを特徴とする。
この態様によれば、例えば、周囲の明るさが、画像の明るさの変更が目立ちやすい明るさである場合に、画像の明るさの変更に要する時間を、画像の明るさの変更が認識され難い時間にすることが可能になる。よって、画像の明るさの変化を認識され難くすることが可能になる。
【０００７】
上述した表示装置の一態様において、前記表示部は、光を射出する光源と、前記光源が射出した光を変調して前記画像を生成する光変調部と、を備え、前記制御部は、前記明るさ情報に応じて、前記光源が射出する光の量の変更に要する変更時間を変更することが望ましい。
この態様によれば、光源が射出する光の量の変更に要する時間を変更するので、光変調部を制御して画像の明るさの変更に要する時間を変更する場合に比べて、制御が容易になる。
【０００８】
上述した表示装置の一態様において、前記光源の点灯を指示する光源点灯指示を受け取る受取部をさらに備え、前記制御部は、前記受取部が前記光源点灯指示を受け取ったときの前記明るさ情報に応じて前記変更時間を変更することが望ましい。
この態様によれば、光源の点灯開始時の周囲の明るさに応じて変更時間を変更できる。
【０００９】
上述した表示装置の一態様において、前記制御部は、前記受取部が前記光源点灯指示を受け取ったときの前記明るさ情報が示す周囲の明るさが暗いほど、前記変更時間を長くすることが望ましい。
この態様によれば、周囲の明るさが暗く画像の明るさの変更が目立ちやすいほど、変更時間を長くして、画像の明るさの変更を認識され難くすることが可能になる。
【００１０】
上述した表示装置の一態様において、前記制御部は、さらに、前記画像の明るさを変更している間の前記明るさ情報に応じて前記画像の明るさの変更に要する時間を変更することが望ましい。
この態様によれば、例えば、画像の明るさを変更している間に、周囲の明るさが、画像の明るさの変更が目立つような明るさになった場合に、画像の明るさの変更に要する時間を長くすることが可能になる。よって、画像の明るさの変化を認識され難くすることが可能になる。
【００１１】
本発明の表示システムの一態様は、表示装置と、前記表示装置と通信する測定装置と、を含み、前記測定装置は、周囲の明るさを測定して前記周囲の明るさを示す明るさ情報を出力する測定部と、前記明るさ情報を前記表示装置に送信する送信部と、を含み、前記表示装置は、画像を表示する表示部と、前記明るさ情報を受信する受信部と、前記明るさ情報に応じて、前記画像の明るさを制御する制御部と、を含み、前記制御部は、前記明るさ情報に応じて、前記画像の明るさの変更に要する時間を変更することを特徴とする。
この態様によれば、測定部の設置位置の制約が、測定部が表示装置に組み込まれている場合に比べて小さくなり、必要な位置に測定部を配置しやすくなる。
【００１２】
本発明の画像の明るさ変更方法の一態様は、画像を表示し、周囲の明るさを示す明るさ情報を応じて、前記画像の明るさの変更に要する時間を変更することを特徴とする。
この態様によれば、例えば、周囲の明るさが、画像の明るさの変更が目立つような明るさである場合に、画像の明るさの変更に要する時間を、画像の明るさの変更が認識され難い時間にすることが可能になる。よって、画像の明るさの変化を認識され難くすることが可能になる。
【図面の簡単な説明】
【００１３】
【図１】第１実施形態に係るプロジェクター１００の使用例を示した図である。
【図２】第１実施形態に係るプロジェクター１００の一例を示した図である。
【図３】第１実施形態の光源オンの動作を説明するためのフローチャートである。
【図４】第１実施形態の光源オフの動作を説明するためのフローチャートである。
【図５】光束変化曲線の例を示した図である。
【図６】第２実施形態に係るプロジェクター１００Ａを示した図である。
【図７】第２実施形態の光源オンの動作を説明するためのフローチャートである。
【図８】第２実施形態の光源オンの動作の一例を示した図である。
【図９】第２実施形態の光源オフの動作を説明するためのフローチャートである。
【図１０】第２実施形態の光源オフの動作の一例を示した図である。
【図１１】第２実施形態の動作の一例を示した図である。
【図１２】第２実施形態の動作の一例を示した図である。
【図１３】表示システム３００を示した図である。
【図１４】光束変化曲線の一例を示した図である。
【発明を実施するための形態】
【００１４】
以下、図面を参照しながら本発明に係る実施の形態を説明する。なお、図面において各部の寸法や縮尺は実際のものと適宜異なる。また、以下に記載する実施の形態は、本発明の好適な具体例である。このため、本実施形態には、技術的に好ましい種々の限定が付されている。しかしながら、本発明の範囲は、以下の説明において特に本発明を限定する旨の記載がない限り、これらの形態に限られるものではない。
【００１５】
＜第１実施形態＞
図１は、本発明の第１実施形態に係るプロジェクター１００の水族館での使用例を示した図である。なお、プロジェクター１００の使用場所は、水族館に限らず適宜変更可能である。
【００１６】
水族館では、水槽１の中で泳ぐ魚が展示されている。水槽１には、自然光および照明光が入っている。プロジェクター１００は、水槽１があるブースの天井から吊り下げられ、水槽１の横の壁の一部（以下「投射面」と称する）２に画像を投射する。つまり、プロジェクター１００は、投射面２に画像を表示する。投射面２に投射される画像は、例えば、水槽１内の魚に関する画像である。
【００１７】
プロジェクター１００が表示する画像（図１では「画像Ｃ」として示す）は、当然のことながら明るさを有している。このため、周囲が暗いほど画像Ｃは目立ちやすくなる。よって、暗い状況で画像Ｃの明るさを変更する場合の方が、明るい状況で画像Ｃの明るさを変更する場合よりも、画像Ｃの明るさの変更が目立ちやすくユーザーに認識されやすくなる。ユーザーは、画像の明るさの変化を認識した場合、この変化に対して違和感を覚えるおそれがあり、水槽１よりも画像Ｃの明るさの変化が気になってしまう可能性がある。この状況は、水族館にとって好ましくない。
【００１８】
そこで、プロジェクター１００は、周囲の明るさに応じて、画像の明るさの変更に要する時間を制御する。例えば、プロジェクター１００は、周囲が暗いほど、画像の明るさの変更に要する時間を長くする。このため、画像の明るさの変更が認識され難くなり、ユーザーが、画像の明るさの変化に対して違和感を覚え難くすることができる。
【００１９】
図２は、プロジェクター１００の一例を示した図である。プロジェクター１００は、表示部１０１と、通信部１０２と、映像信号処理部１０３と、受取部１０４と、測定部１０５と、記憶部１０６と、制御部１０７と、を含んで構成されている。
【００２０】
表示部１０１は、種々の画像を表示する。表示部１０１は、光源１０１ａと、光変調部１０１ｂと、投射光学系１０１ｃと、を含んで構成されている。
【００２１】
光源１０１ａは、光を射出する。光源１０１ａは、例えばレーザー光源である。光源１０１ａは、光束を調節可能である。なお、光源１０１ａは、レーザー光源に限らず、光束を調節可能な光源であればよい。
【００２２】
光変調部１０１ｂは、例えば液晶ライトバルブである。なお、光変調部１０１ｂは、液晶ライトバルブに限らず適宜変更可能である。例えば、光変調部１０１ｂは、ＤＭＤ（Digital Micromirror Device）でもよい。光変調部１０１ｂは、光源１０１ａから射出された光を変調して画像を生成する。なお、光変調部１０１ｂでの光の変調の度合いが変わらない状況では、光源１０１ａから射出された光束が大きいほど、画像は明るくなる。
【００２３】
投射光学系１０１ｃは、光変調部１０１ｂが生成した画像を投射面２に投射する。なお、表示部１０１は、投射面２を含まない。
【００２４】
通信部１０２は、映像信号出力装置（不図示）と映像・制御兼用通信線（不図示）で接続されている。映像信号出力装置は、例えば、パーソナルコンピュータである。以下「映像信号出力装置」を「コンテンツ再生装置」とも称する。通信部１０２は、コンテンツ再生装置から映像・制御兼用通信線を介して映像信号を受信する。映像信号は、コンテンツの一例である。
【００２５】
映像信号処理部１０３は、通信部１０２が受信した映像信号を表示部１０１での表示に適した信号に変換する処理を実行する。この処理には、例えば、映像信号により表される画像を拡大または縮小することによって画像の解像度を表示部１０１の持つ解像度に合わせるスケーリング処理などが含まれる。
【００２６】
受取部１０４は、複数の操作ボタンを有するリモコン（不図示）から、操作ボタンへの操作に応じた種々の指示を受け取る。例えば、受取部１０４は、リモコンから、光源１０１ａの点灯（オン）を指示する光源オン命令と、光源１０１ａの消灯（オフ）を指示する光源オフ命令と、を受け取る。光源オン命令は、光源点灯指示の一例である。また、受取部１０４は、リモコンから、映像信号の再生指示と映像信号の一時停止指示とを受け取る。
【００２７】
測定部１０５は、プロジェクター１００の周囲の明るさ（照度）を測定して、プロジェクター１００の周囲の明るさを示す明るさ情報を出力する。明るさ情報が示す値（照度値）は、周囲が明るいほど大きくなる。測定部１０５は、表示部１０１から投射される画像（光）が直接入射しない場所に設置されている。
【００２８】
記憶部１０６は、コンピュータにて読み取り可能な記録媒体の一例である。さらに言えば、記憶部１０６は、非一過性（non-transitory）の記録媒体である。記憶部１０６は、例えば、半導体記録媒体、磁気式記録媒体または光学式記録媒体等の公知の任意の形式の記録媒体、または、これらの記録媒体が組み合わされた記録媒体である。なお、本明細書中において、「非一過性」の記録媒体は、一過性の伝搬信号（transitory, propagating signal）を一時的に記憶する伝送線等の記録媒体を除く全てのコンピュータ読み取り可能な記録媒体を含み、揮発性の記録媒体を除外するものではない。記憶部１０６は、プロジェクター１００の動作を規定するプログラムと種々の情報とを記憶する。
【００２９】
制御部１０７は、ＣＰＵ（Central Processing Unit）等の処理装置（コンピュータ）である。制御部１０７は、記憶部１０６からプログラムを読み取り実行することによって種々の動作を実行する。
【００３０】
例えば、制御部１０７は、測定部１０５が出力した明るさ情報に応じて、画像の明るさを制御する。さらに、制御部１０７は、明るさ情報に応じて、画像の明るさの変更に要する時間を変更する。
【００３１】
以下では、制御部１０７が、明るさ情報に応じて、光源１０１ａが射出する光の量の変更に要する時間（以下「変更時間」と称する）を変更する例を説明する。例えば、制御部１０７は、受取部１０４が光源オン命令を受け取ったときの明るさ情報に応じて変更時間を変更する。一例としては、制御部１０７は、受取部１０４が光源オン命令を受け取ったときの明るさ情報が示す周囲の明るさが暗いほど、変更時間を長くする。
【００３２】
また、制御部１０７は、画像の明るさ変更制御に関する変更制御モードとして、３つのモード（第１モード、第２モードおよび第３モード）を有する。制御部１０７は、第１モード下では、測定部１０５が出力した明るさ情報に応じて、変更時間を制御する。制御部１０７は、第２モード下では、変更時間として特定時間（固定時間）を用いる。制御部１０７は、第３モード下では、光源オン命令の受取りに応じて光源１０１ａを直ちにオン（点灯）し、光源オフ命令の受取りに応じて光源１０１ａを直ちにオフ（消灯）する。第３モードでの変更時間は、第２モードでの変更時間（特定時間）よりも短い。なお、第２モードでの動作および第３モードでも動作は公知技術であるため、これらの詳細な説明を割愛する。
【００３３】
また、制御部１０７は、動作モードとして、通常モードと光源オフモードとを有する。通常モードは、画像に応じて光源１０１ａの光束を制御（変更）するモードである。光源オフモードは、光源１０１ａがオフになっているモードである。
【００３４】
次に、動作を説明する。
以下では、動作を、（ａ）準備と（ｂ）光源オンと（ｃ）光源オフに分けて説明する。
【００３５】
（ａ）準備：
事前に、水族館スタッフは、リモコンの操作ボタンを操作して第１モードから第３モードのいずれかを入力する。受取部１０４は、リモコンを介して入力されたモードを受け取り、そのモードを制御部１０７に出力する。制御部１０７は、受取部１０４から受け取ったモードを制御モードとして設定する。以下の（ａ）準備に関する説明では、変更動作モードとして第１モードが設定され、光源１０１ａが点灯している状況での動作を説明する。
【００３６】
水族館スタッフは、リモコンの操作ボタンを操作して再生指示を入力する。受取部１０４は、リモコンを介して再生指示を受け取り、再生指示を制御部１０７に出力する。制御部１０７は、受取部１０４から受け取った再生指示を通信部１０２からコンテンツ再生装置に送信して、コンテンツ再生装置に、映像信号のプロジェクター１００への送信を開始させる。プロジェクター１００は、コンテンツ再生装置から映像信号を受け付けると、映像信号に応じた画像を表示する。
【００３７】
続いて、水族館スタッフは、水槽１の展示で使う画像の先頭部分が表示された時点でリモコンを操作して一時停止指示を入力する。受取部１０４は、リモコンを介して一時停止指示を受け取り、一時停止指示を制御部１０７に出力する。制御部１０７は、受取部１０４から受け取った一時停止指示を通信部１０２からコンテンツ再生装置に送信して、コンテンツ再生装置に、映像信号の再生（送信）の一時停止を実行させる。
【００３８】
その後、水族館スタッフは、リモコンを操作して光源オフ命令を入力してプロジェクター１００の光源１０１ａをオフする。これにより、制御部１０７は、動作モードを光源オフモードに設定する。
以上で、（ａ）準備が完了する。
【００３９】
次に、（ｂ）光源オンの動作を説明する。図３は、第１モード下での（ｂ）光源オンの動作を説明するためのフローチャートである。（ｂ）光源オンの動作の開始時には、動作モードは光源オフモードになっている。
【００４０】
（ｂ）光源オン：
水族館スタッフは、リモコンを操作して光源オン命令を入力する。受取部１０４は、リモコンから光源オン命令を受け取ると（ステップＳ３０１：ＹＥＳ）、光源オン命令を制御部１０７に出力する。
【００４１】
制御部１０７は、光源オン命令を受け取ると、測定部１０５からその時の明るさを示す明るさ情報を明るさ情報Ｘ光源onとして取得する（ステップＳ３０２）。続いて、制御部１０７は、明るさ情報Ｘ光源onを記憶部１０６に記憶する（ステップＳ３０３）。
【００４２】
続いて、制御部１０７は、映像信号処理部１０３に、コンテンツ再生装置から入力されている映像フレーム（一時停止中の映像フレーム）を取得させる（ステップＳ３０４）。
続いて、制御部１０７は、通常モード下でこの映像フレームの画像を投射する際に用いる光源１０１ａの光束を、光束Ｚfinalとして算出する（ステップＳ３０５）。
【００４３】
続いて、制御部１０７は、光源１０１ａの光束が０（ゼロ）から光束Ｚfinalに変わるまでの時間（変更時間）を明るさ情報Ｘ光源onに応じて制御する（ステップＳ３０６）。
【００４４】
以下、ステップＳ３０６について説明する。
制御部１０７は、まず、最終目標の光源１０１ａの光束Ｚfinalと光源オン命令の受取時の明るさ情報Ｘ光源onとに基づいて、光源１０１ａの光束変化曲線［光源オン用］を決定する。光束変化曲線［光源オン用］は、光源オン命令の受取時からの経過時間ｓと、光源１０１ａの光束（目標光束Ｚtarget）との関係を示す。
【００４５】
ここで、光束変化曲線［光源オン用］を決定する例を説明する。
制御部１０７は、まず、明るさ情報Ｘ光源onを入力として単位時間（例えば１秒）あたりの光束増加量を決定する。
続いて、制御部１０７は、光源１０１ａの光束が単位時間経過するごとに光束増加量だけ増えていき、光源１０１ａの光束が光束Ｚfinalに到達したら通常モードに移行する光束変化を示す光束変化曲線［光源オン用］を決定する。
【００４６】
一例を示すと、制御部１０７は、まず、明るさ情報Ｘを光源１０１ａの光束Ｚに変換する変換式：
Ｚ(Ｘ)＝αＸ，α＝１００    ・・・（１）
を用いて、明るさ情報Ｘ光源onを光源１０１ａの光束Ｚ（Ｘ光源on）に変換する。なお、（１）式（変換式）の作成手法の一例については後述する。
【００４７】
続いて、制御部１０７は、光源オン命令の受取時から光源１０１ａの光束Ｚが最終目標の光束Ｚfinalに到達するまでの時間Ｔ(Ｘ光源on)を以下のように算出する。
Ｚfinal−Ｚ(Ｘ光源on)＞０であるとき、
【数１】
2018054784.tif 000003
Ｚfinal−Ｚ(Ｘ光源on)≦０であるとき、
Ｔ(Ｘ光源on)＝０  ・・・（３）
ここで、時間Ｔ(Ｘ光源on)は、変更時間を意味する。
【００４８】
（２）式によれば、Ｚ(Ｘ光源on)が小さいほど、つまり、光源オン命令の受付時の周囲の明るさが暗いほど、時間Ｔ(Ｘ光源on)は長くなる。よって、光源１０１ａが点灯（オン）するときの周囲の明るさが暗いほど変更時間は長くなり、ユーザーは、画像の明るさの変更を認識し難くなる。
【００４９】
続いて、制御部１０７は、光源オン命令の受取時から時間ｓが経過した時点での目標光束Ｚtarget（ｓ，Ｘ光源on）を以下のように算出する。
【数２】
2018054784.tif 000004
ここで、（４）式は、光源オン命令の受取時から時間ｓが経過した時点での目標光束Ｚtarget（ｓ，Ｘ光源on）を示し、光束変化曲線［光源オン用］の一例となる。
【００５０】
なお、係数αは「１００」に限らず、係数βは「６０」に限らず、係数γは「１」に限らない。例えば、係数α、βおよびγは、それぞれ、プロジェクター１００の設置環境およびプロジェクター１００から投射された画像の見え方を踏まえて適宜変更可能である。
【００５１】
（１）式で示された関数（変換式）は、プロジェクター１００から実際に画像を投射した状態で光源１０１ａの光束を最小光束Ｚminから最大光束Ｚmaxに変化させ、そのときの光源１０１ａの光束と投射面２の照度（あるいは、閲覧位置から見たときの投射面２の輝度）を計測したデータから算出することができる。
また、（１）式で示された関数は、プロジェクター１００の製造段階で、光源１０１ａの光束と、プロジェクター１００と投射面との距離（あるいは投影面積）と、投射面の照度（あるいは、閲覧位置から見たときの投射面の輝度）の関係を算出し、その算出結果から導くこともできる。
【００５２】
続いて、制御部１０７は、光源オン命令の受取時からの経過時間ｓと、光束変化曲線［光源オン用］（例えば（４）式）とを用いて、目標光束Ｚtargetを決定する。続いて、制御部１０７は、光源１０１ａの光束が目標光束Ｚtargetになるように光源１０１ａを制御する。
その後、制御部１０７は、最新の目標光束Ｚtargetが最終目標の光束Ｚfinalに到達するまで、単位時間が経過するごとに目標光束Ｚtargetを決定し、光源１０１ａの光束を最新の目標光束Ｚtargetにする動作を繰り返す。
以上が、ステップＳ３０６の説明である。
【００５３】
制御部１０７は、最新の目標光束Ｚtargetが最終目標の光束Ｚfinalに到達すると（ステップＳ３０７）、再生指示を通信部１０２からコンテンツ再生装置に送信し（ステップＳ３０８）、その後、動作モードを通常モードに移行する（ステップＳ３０９）。
コンテンツ再生装置は、再生指示を受信すると、映像信号の再生（送信）の一時停止を解除して映像信号の再生を開始し、映像信号をプロジェクター１００に送信する。プロジェクター１００の映像信号処理部１０３は、通信部１０２を介して映像信号を受信し、この映像信号に応じた画像を表示部１０１に表示させる。
【００５４】
次に、第１モード下での（ｃ）光源オフの動作を説明する。以下では、光源オフ命令の受付時の周囲の明るさが、光源オン命令の受付時の周囲の明るさと等しいと仮定した場合の動作について説明する。図４は、第１モード下での（ｃ）光源オフの動作を説明するためのフローチャートである。
【００５５】
水族館スタッフは、リモコンを操作して光源オフ命令を入力する。受取部１０４は、リモコンから光源オフ命令を受け取ると（ステップＳ４０１）、光源オフ命令を制御部１０７に出力する。
【００５６】
制御部１０７は、光源オフ命令を受け取ると、現在の光源１０１ａの光束Ｚ光源OFFを算出する（ステップＳ４０２）。例えば、制御部１０７は、光源オフ命令の受取時に光源１０１ａに設定していた光束を、光束Ｚ光源OFFとして算出する。
【００５７】
続いて、制御部１０７は、一時停止指示を通信部１０２からコンテンツ再生装置に送信して（ステップＳ４０３）、コンテンツ再生装置に映像信号の再生（送信）の一時停止を実行させる。
【００５８】
続いて、制御部１０７は、光源１０１ａの光束が光束Ｚ光源OFFから０（ゼロ）に変わるまでの時間（変更時間）を、光源オン命令の受取時の明るさ情報Ｘ光源onに応じて制御する（ステップＳ４０４）。
【００５９】
以下、ステップＳ４０４について説明する。
制御部１０７は、明るさ情報Ｘ光源onと光束Ｚ光源OFFとに基づいて、光源１０１ａの光束変化曲線［光源オフ用］を決定する。光束変化曲線［光源オフ用］は、光源オフ命令の受取時からの経過時間ｓと、光源１０１ａの光束（目標光束Ｚ’target）との関係を示す。
【００６０】
ここで、光束変化曲線［光源オフ用］を決定する例を説明する。
制御部１０７は、まず、明るさ情報Ｘ光源onと光束Ｚ光源OFFとに基づいて、単位時間（例えば１秒）あたりの光束減少量を決定する。
【００６１】
一例を示すと、制御部１０７は、まず、明るさ情報Ｘを光源１０１ａの光束Ｚ’に変換する変換式：
Ｚ’(Ｘ)＝α’Ｘ，α’＝１００    ・・・（５）
を用いて、明るさ情報Ｘ光源onを光源１０１ａの光束Ｚ’（Ｘ光源on）に変換する。なお、（５）式は、（１）式と同じであってもよいし異なっていてもよい。（５）式は、（１）式の作成手法に準じて作成される。
【００６２】
続いて、制御部１０７は、光源オフ命令の受取時から光源１０１ａの光束が最終目標の光束＝０に到達するまでの時間Ｔ’(Ｘ光源on)を以下のように算出する。
Ｚ光源OFF−Ｚ’(Ｘ光源on)＞０であるとき
【数３】
2018054784.tif 000005
Ｚ光源OFF−Ｚ’(Ｘ光源on)≦０であるとき、
Ｔ’(Ｘ光源on)＝０  ・・・（７）
【００６３】
（６）式によれば、Ｚ’(Ｘ光源on)が小さいほど、つまり、光源オン命令の受付時の周囲の明るさが暗いほど、時間Ｔ’(Ｘ光源on)は長くなる。よって、周囲の明るさが暗いほど、変更時間は長くなり、ユーザーは画像の明るさの変更を認識し難くなる。
【００６４】
続いて、制御部１０７は、光源オフ命令の受取時から時間ｓが経過した時点での目標光束Ｚ’target（ｓ，Ｘ光源on）を以下のように算出する。
【数４】
2018054784.tif 000006
ここで、（８）式は、光源オフ命令の受取時から時間ｓが経過した時点での目標光束Ｚ’target（ｓ，Ｘ光源on）を示し、光束変化曲線［光源オフ用］の一例となる。
【００６５】
なお、係数α’は「１００」に限らず、係数β’は「６０」に限らず、係数γ’は「１」に限らない。例えば、係数α’、β’およびγ’は、それぞれ、プロジェクター１００の設置環境およびプロジェクター１００から投射された画像の見え方を踏まえて適宜変更可能である。
【００６６】
続いて、制御部１０７は、光源オフ命令の受取時からの経過時間ｓと、光束変化曲線［光源オフ用］（例えば（８）式）とを用いて、目標光束Ｚ’targetを決定する。続いて、制御部１０７は、光源１０１ａの光束が目標光束Ｚ’targetになるように光源１０１ａを制御する。
その後、制御部１０７は、最新の目標光束Ｚtargetが最終目標の光束＝０に到達するまで、単位時間が経過するごとに目標光束Ｚ’targetを決定し、光源１０１ａの光束を最新の目標光束Ｚ’targetにする動作を繰り返す。
以上が、ステップＳ４０４の説明である。
【００６７】
制御部１０７は、現在の目標光束Ｚ’targetが最終目標の光束Ｚ＝０に到達すると（ステップＳ４０５）、動作モードを光源オフモードに移行する（ステップＳ４０６）。
【００６８】
図５は、状況Ａでの光束変化曲線［光源オン用］および光束変化曲線［光源オフ用］と、状況Ａよりも暗い状況Ｂでの光束変化曲線［光源オン用］および光束変化曲線［光源オフ用］とを示した図である。光束変化曲線［光源オン用］Ａ１は、状況Ａでの光束変化曲線［光源オン用］である。光束変化曲線［光源オン用］Ｂ１は、状況Ｂでの光束変化曲線［光源オン用］である。光束変化曲線［光源オフ用］Ａ２は、状況Ａでの光束変化曲線［光源オフ用］である。光束変化曲線［光源オフ用］Ｂ２は、状況Ｂでの光束変化曲線［光源オフ用］である。
【００６９】
本実施形態によれば、図５に示したように、状況Ａでの光束変化曲線［光源オン用］Ａ１では、状況Ｂでの光束変化曲線［光源オン用］Ｂ１よりも、変更時間が短くなる（変更時間ｓ１１＜変更時間ｓ１２）。また、状況Ａでの光束変化曲線［光源オフ用］Ａ２では、状況Ｂでの光束変化曲線［光源オフ用］Ｂ２よりも、変更時間が短くなる（変更時間ｓ２１＜変更時間ｓ２２）。つまり、周囲の明るさが暗いほど変更時間は長くなり、ユーザーは、画像の明るさの変更を認識し難くなる。
【００７０】
なお、制御部１０７は、光源オン命令を受けて光源１０１ａの光束を最終目標の光束Ｚfinalに向けて上げている期間において光源オフ命令を受け取った場合にも、図４に示した処理を実行する。この際、コンテンツ再生装置は既に一時停止状態になっているため、制御部１０７は、ステップＳ４０３（一時停止指示の送信）を省略することが望ましい。
【００７１】
逆に、制御部１０７は、光源オフ命令を受けて光源１０１ａの光束を落としている期間において光源オン命令を受けた場合には、現在の目標光束Ｚ’targetから光束変化曲線［光源オン用］に従って光源１０１ａの光束を徐々に上げていく。
【００７２】
本実施形態のように、プロジェクターを利用しないときは光源をオフし、プロジェクターを利用するときには光源をオンにする制御、いわゆる省エネルギーを実現するプロジェクターは、光源のオン・オフの制御の際に急激な照度変化を発生させてしまい、必要以上にユーザーの注目をプロジェクターの投射領域に集めてしまう。
特に、美術館または水族館などのようにメインの展示を補助するためにプロジェクターを使った画像の演出が比較的暗い壁に対して行われる状況において、その演出の開始時または終了時にプロジェクターの光源がオンまたはオフされる際に、この問題が顕著となる。
本実施形態では、投射画像の急激な照度変化を抑制することによって、ユーザーの不要な注目を集めないようにすることができる。このため、美術館または水族館などでも上述した問題を低減でき、プロジェクターの設置場所の制約を緩和できるとともに省エネルギーを実現することができる。
【００７３】
また、レストランまたはバーなどの通常時に静かな空間の特定の客に対して光の演出を開始または終了する場合、急激な照度変化はその演出対象ではない人（他の席にいるお客）に不快感を与える。本実施形態によれば、この不快感を低減することが可能になる。
【００７４】
＜第２実施形態＞
第１実施形態では、変更時間の制御に関して、明るさ情報としては光源オン命令の受取時の明るさ情報Ｘ光源onのみが利用されている。これは、通常の展示空間は一定の明るさを保っていることを前提としているからである。
しかしながら、展示空間が一定の明るさを保っていない場合（例えば、展示空間に複数のプロジェクターが設置されている、展示空間に時刻に応じて変化する自然光が入る、展示空間内の他展示物の照明光が変化する、または、省エネ観点で天井灯の発光が閲覧者の位置によって制限されている等）には、変更時間内での明るさ情報に応じて変更時間を変更することが望ましい。
このため、本発明の第２実施形態では、変更時間内での明るさ情報に応じて変更時間を変更する。
【００７５】
図６は、第２実施形態に係るプロジェクター１００Ａを示した図である。図６において、図２に示したものと同一構成のものには同一符号を付してある。第２実施形態に係るプロジェクター１００Ａは、記憶部１０６に記憶されているプログラムが異なる点と、制御部１０７の代わりに制御部１０７ａを有する点において、第１実施形態のプロジェクター１００と異なる。以下、第２実施形態について第１実施形態と異なる点を中心に説明する。
【００７６】
プロジェクター１００Ａの制御部１０７ａは、ＣＰＵ等の処理装置（コンピュータ）である。制御部１０７ａは、記憶部１０６からプログラムを読み取り実行することによって種々の動作を実行する。
【００７７】
例えば、制御部１０７ａは、制御部１０７と同様に、明るさ情報に応じて、画像の明るさの変更に要する時間を変更する。さらに、制御部１０７ａは、変更時間内での明るさ情報に応じて変更時間を変更する。
【００７８】
次に、動作を説明する。本実施形態では、第１実施形態と比べて（ｂ）光源オンと（ｃ）光源オフの動作が異なる。このため、本実施形態の（ｂ）光源オンの動作と（ｃ）光源オフの動作について説明する。
【００７９】
（ｂ）光源オン：
図７は、第２実施形態の第１モード下での（ｂ）光源オンの動作を説明するためのフローチャートである。図７において、図３に示した処理と同一の処理には同一符号を付してある。以下、図７に示した処理について、図３に示した処理と異なる処理を中心に説明する。
【００８０】
制御部１０７ａは、光源オン命令を受け取ると（ステップＳ３０１：ＹＥＳ）、測定部１０５からその時の明るさを示す明るさ情報Ｘ光源onを制御用の明るさ情報として取得する（ステップＳ７０１）。その後、制御部１０７ａは、ステップＳ３０３を実行する。
【００８１】
また、制御部１０７ａは、ステップＳ３０５を完了すると、制御用の明るさ情報に応じて変更時間を制御する（ステップＳ７０２）。なお、制御用の明るさ情報が明るさ情報Ｘ光源onである場合、ステップＳ７０２はステップＳ３０６と同様となる。その後、制御部１０７ａは、ステップＳ３０７を実行する。
【００８２】
制御部１０７ａは、ステップＳ３０７でＮＯの場合、前回の明るさ情報の取得時点から単位時間（例えば、１秒）が経過するまで待つ（ステップＳ７０３：ＮＯ）。
前回の明るさ情報の取得時点から単位時間が経過すると（ステップＳ７０３：ＹＥＳ）、制御部１０７ａは、測定部１０５から明るさ情報を新たに取得する（ステップＳ７０４）。以下、ステップＳ７０４で取得した明るさ情報（光源オン命令の受取時から時間ｓが経過した時点での明るさ情報）を「明るさ情報Ｘｓ」と称する。
【００８３】
続いて、制御部１０７ａは、制御用の明るさ情報を、新たに取得した明るさ情報に更新する必要があるか否かを判断する（ステップＳ７０５）。
【００８４】
以下、ステップＳ７０５について説明する。
制御部１０７ａは、まず、光源オン命令の受取時の明るさ情報が「明るさ情報Ｘｓ」であったと仮定して、光源オン命令を受けてから、光源１０１ａの光束が最終目標の光束Ｚfinalに到達するまでの到達時間Ｔ(Ｘｓ)を、以下のように算出する。
Ｚfinal−Ｚ(Ｘｓ)＞０であるとき、
【数５】
2018054784.tif 000007
Ｚfinal−Ｚ(Ｘｓ)≦０であるとき、
Ｔ(Ｘｓ)＝０  ・・・（１０）
なお、時間Ｔ(Ｘｓ)は、変更時間を意味する。
【００８５】
続いて、制御部１０７ａは、
Ｚtarget(ｓ，Ｘ光源on)＝Ｚtarget(ｓ’，Ｘｓ)・・・（１１）
を満たす時間ｓ’を算出する。
ここで、時間ｓ’は、光源オン命令の受取時の明るさ情報が明るさ情報Ｘｓであったと仮定した場合に用いる光束変化曲線［光源オン用］において、光束Ｚtargetが現在の光源１０１ａの目標光束Ｚtarget(ｓ，Ｘ光源on)になるまでの経過時間を示す。
なお、目標光束Ｚtarget(ｓ，Ｘ光源on)は、上述した（４）式で表される。
また、目標光束Ｚtarget (ｓ’，Ｘｓ)は、
【数６】
2018054784.tif 000008
である。よって、（１１）式は、
【数７】
2018054784.tif 000009
を意味する。
（１３）式から
【数８】
2018054784.tif 000010
が導かれる。
【００８６】
次に、制御部１０７ａは、算出した経過時間ｓ’を用いて、
【数９】
2018054784.tif 000011
の演算を実行する。
【００８７】
〔Ｔ(Ｘｓ)−ｓ’〕は、光源オン命令の受取時に明るさ情報Ｘｓに基づいて算出された到達時間Ｔ(Ｘｓ)から、光源オン命令の受取時からの経過時間ｓ’を減算した時間を示す。
さらに言えば、〔Ｔ(Ｘｓ)−ｓ’〕は、今後、光束変化曲線［光源オン用］として（１２）式が用いられる状況において、光源１０１ａの光束が最終目標光束Ｚfinalに到達するまでの残り時間を表している。
【００８８】
一方、〔Ｔ(Ｘ光源on)−ｓ〕は、光源オン命令の受取時に明るさ情報Ｘ光源onに基づいて算出された到達時間Ｔ(Ｘ光源on)から、光源オン命令の受取時からの経過時間ｓを減算した時間を示す。
さらに言えば、〔Ｔ(Ｘ光源on)−ｓ〕は、今後、光束変化曲線［光源オン用］として（４）式が用いられる状況において、光源１０１ａの光束が最終目標光束Ｚfinalに到達するまでの残り時間を表している。
【００８９】
光源オン命令の受付時の明るさ情報Ｘ光源onと、光源オン命令の受取時から時間ｓが経過した時点での明るさ情報Ｘｓが等しい場合には、時間ｓ＝時間ｓ’が成立し、（１５）式の算出結果は０（つまり、残り時間が等しい）となる。このため、（１５）式の算出結果が０の場合、制御部１０７ａは、光束変化曲線［光源オン用］を変更せずに維持する。
なお、本実施形態では、（１５）式の算出結果が第１閾値（thresholdon）以下である場合、制御部１０７ａは、光束変化曲線［光源オン用］を変更せずに維持する。つまり、制御部１０７ａは、（１５）式の算出結果が第１閾値（thresholdon）以下である場合、制御用の明るさ情報を、新たに取得した明るさ情報に更新する必要がないと判断する。
【００９０】
一方、光源オン命令の受付時の明るさ情報Ｘ光源onと、光源オン命令の受取時から時間ｓが経過した時点での明るさ情報Ｘｓが異なり、かつ、（１５）式の算出結果が第１閾値（thresholdon）よりも大きい場合、例えば、
【数１０】
2018054784.tif 000012
が成り立つ場合、制御部１０７ａは、制御用の明るさ情報を、新たに取得した明るさ情報に更新する必要があると判断する。
以上が、ステップＳ７０５についての説明である。
【００９１】
制御部１０７ａは、制御用の明るさ情報を新たに取得した明るさ情報に更新する必要がないと判断すると（ステップＳ７０５：ＮＯ）、ステップＳ７０２を実行する。
一方、制御部１０７ａは、制御用の明るさ情報を新たに取得した明るさ情報に更新する必要があると判断すると（ステップＳ７０５：ＹＥＳ）、制御用の明るさ情報を、新たに取得した明るさ情報に更新する（ステップＳ７０６）。
【００９２】
制御部１０７ａは、制御用の明るさ情報を更新すると、ステップＳ７０２に戻り、更新後の制御用の明るさ情報に応じて変更時間を制御する。本実施形態では、制御部１０７ａは、光束変化曲線［光源オン用］を、更新前の制御用の明るさ情報に応じた光束変化曲線［光源オン用］から、更新後の制御用の明るさ情報に応じた光束変化曲線［光源オン用］に切り換える。
【００９３】
具体的には、光源オン命令の受取時から時間ｓ変化が経過したときに（１６）式が成立する場合、そのときの明るさ情報を明るさ情報Ｘｓ変化と表すと、制御部１０７ａは、時間ｓ変化以降に用いる光束変化曲線［光源オン用］を、
時間ｓ経過後の目標光束Ｚtarget(ｓ−Δ，Ｘｓ変化)、
ただし、Δ＝ｓ変化−ｓ’，ｓ＞ｓ変化  ・・・（１７）
に変更する。
【００９４】
制御部１０７ａは、光源１０１ａの光束が光束Ｚfinalに到達するまで、ステップＳ７０３以降の処理を繰り返す。例えば、制御部１０７ａは、光束変化曲線［光源オン用］を変更した後にも、単位時間が経過するごとに明るさ情報Ｘｓを取得する。
【００９５】
具体的には、制御部１０７ａは、光束変化曲線［光源オン用］を変更した後に、（１１）式と同様に、
Ｚtarget(ｓ−Δ，Ｘｓ変化)＝Ｚtarget(ｓ’’，Ｘｓ)・・・（１８）
を満たすｓ’’を算出する。
【００９６】
続いて、制御部１０７ａは、
【数１１】
2018054784.tif 000013
と第１閾値（thresholdon）とを比較する。
【００９７】
続いて、制御部１０７ａは、
【数１２】
2018054784.tif 000014
が成り立つ場合に、光束変化曲線［光源オン用］を変更する。
【００９８】
具体的には、その時の経過時間を「時間ｓ’変化」、その時の明るさ情報を「明るさ情報Ｘｓ’変化」と表すと、制御部１０７ａは、光束変化曲線［光源オン用］を
時間ｓ経過後の目標光束Ｚtarget(ｓ−Δ，Ｘｓ’変化)、
ただし、Δ＝ｓ’変化−ｓ’’，ｓ＞ｓ’変化  ・・・（２１）
とする。
【００９９】
各光束変化曲線［光源オン用］は、明るさ情報に適した光束変化を実現する制御を示すため、急激な画像の明るさの変化を軽減できると共に、明るさ情報（周辺照度）が十分に明るい状態に変化した場合に、時間をかけて徐々に画像を明るくするようなムダな時間を消費することを抑制できる。
また、各光束変化曲線［光源オン用］は最大でもβ以内に最終目標の光束に到達するように設計されているので、明るさ情報（周辺照度）の変化に関わらず、（ｂ）光源オンの動作を最大でもβ以内に完了することができる。
【０１００】
図８は、第２実施形態の（ｂ）光源オンの動作の一例を示した図である。
図８において、光源オン命令の受取時の明るさ情報は、明るさ情報Ｘ光源onである。制御部１０７ａは、明るさ情報Ｘ光源onに基づいて、光束変化曲線［光源オン用］Ｚ１を決定する。制御部１０７ａは、時間の経過とともに、光束変化曲線［光源オン用］Ｚ１に従って光源１０１ａの光束を制御する。制御線Ｙ１は、光束変化曲線［光源オン用］Ｚ１に従った制御結果を示す。
【０１０１】
制御部１０７ａは、単位時間が経過するごとに、測定部１０５から明るさ情報Ｘｓを取得する。制御部１０７ａは、明るさ情報Ｘｓを取得するごとに、（１５）式の演算を実行する。
【０１０２】
図８に示した例では、時間ｓ変化が経過したときに、（１６）式が成立するとしている。そのため、制御部１０７ａは、時間ｓ変化が経過したときの明るさ情報Ｘｓ変化に基づいて、光束変化曲線［光源オン用］Ｚ２を決定する。
【０１０３】
そして、制御部１０７ａは、光源１０１ａの光束を制御するために使用する光束変化曲線［光源オン用］を、光束変化曲線［光源オン用］Ｚ１から光束変化曲線［光源オン用］Ｚ２に変更する。
【０１０４】
なお、図８において、光束変化曲線［光源オン用］Ｚ２と傾きが等しい光束変化曲線［光源オン用］Ｚ２０は、光源オン命令の受取時の明るさ情報が明るさ情報Ｘｓ変化であったと仮定した場合に、光源オン命令の受取りに応じて決定される光束変化曲線［光源オン用］である。
【０１０５】
光束変化曲線［光源オン用］Ｚ２は、光束変化曲線［光源オン用］Ｚ１において時間ｓ変化が経過した時点の目標光束が、光束変化曲線［光源オン用］Ｚ２０における目標光束と一致するように、光束変化曲線［光源オン用］Ｚ２０をｓ軸方向に平行移動したものである。
【０１０６】
続いて、制御部１０７ａは、時間の経過とともに、光束変化曲線［光源オン用］Ｚ２に従って光源１０１ａの光束を制御する。制御線Ｙ２は、光束変化曲線［光源オン用］Ｚ２に従った制御結果を示す。
【０１０７】
その後も、制御部１０７ａは、単位時間が経過するごとに、測定部１０５から明るさ情報Ｘｓを取得する。制御部１０７ａは、明るさ情報Ｘｓを取得するごとに、（１９）式の演算を実行する。
【０１０８】
図８に示した例では、時間ｓ’変化が経過したときの明るさ情報Ｘｓ’変化に関して、以下の（２２）式が成立している。
【数１３】
2018054784.tif 000015
そのため、制御部１０７ａは、時間ｓ’変化が経過したときの明るさ情報Ｘｓ’変化に基づいて、光束変化曲線［光源オン用］Ｚ３を決定する。
そして、制御部１０７ａは、光源１０１ａの光束を制御するために使用する光束変化曲線［光源オン用］を、光束変化曲線［光源オン用］Ｚ２から光束変化曲線［光源オン用］Ｚ３に変更する。
【０１０９】
なお、図８において、光束変化曲線［光源オン用］Ｚ３と傾きが等しい光束変化曲線［光源オン用］Ｚ３０は、光源オン命令の受取時の明るさ情報が明るさ情報Ｘｓ’変化であったと仮定した場合に、光源オン命令の受取りに応じて決定される光束変化曲線［光源オン用］である。
【０１１０】
光束変化曲線［光源オン用］Ｚ３は、光束変化曲線［光源オン用］Ｚ２において時間ｓ’変化が経過した時点の目標光束が、光束変化曲線［光源オン用］Ｚ３０における目標光束と一致するように、光束変化曲線［光源オン用］Ｚ３０をｓ軸方向に平行移動したものである。
【０１１１】
光源オン動作を開始してから、光源１０１ａの光束が最終目標の光束Ｚfinalに達すると、制御部１０７ａは動作モードを通常モードに移行する。
図８では、通常モードにおける画像に依存した光源１０１ａの光束変化が曲線Ｎ１で示されている。
【０１１２】
（ｃ）光源オフ
図９は、第２実施形態の第１モード下での（ｃ）光源オフの動作を説明するためのフローチャートである。図９において、図４に示した処理と同一の処理には同一符号を付してある。以下、図９に示した処理について、図４に示した処理と異なる処理を中心に説明する。
【０１１３】
制御部１０７ａは、ステップＳ４０３を完了すると、光源オン命令の受取時の明るさ情報Ｘ光源onを制御用の明るさ情報として用い、制御用の明るさ情報に応じて、光源１０１ａの光束が光束Ｚ光源OFFから０（ゼロ）に変わるまでの時間（変更時間）を制御する（ステップＳ９０１）。なお、制御用の明るさ情報が明るさ情報Ｘ光源onである場合、ステップＳ９０１はステップＳ４０４と同様となる。その後、制御部１０７ａは、ステップＳ４０５を実行する。
【０１１４】
制御部１０７ａは、ステップＳ４０５でＮＯの場合、前回の明るさ情報の取得時点から単位時間（例えば、１秒）が経過するまで待つ（ステップＳ９０２）。
前回の明るさ情報の取得時点から単位時間が経過すると（ステップＳ９０２：ＹＥＳ）、制御部１０７ａは、測定部１０５から明るさ情報を新たに取得する（ステップＳ９０３）。以下、ステップＳ９０３で取得した明るさ情報（光源オフ命令の受取時からの時間ｓが経過した時点での明るさ情報）についても「明るさ情報Ｘｓ」称する。
【０１１５】
続いて、制御部１０７ａは、制御用の明るさ情報を、新たに取得した明るさ情報に更新する必要があるか否かを判断する（ステップＳ９０４）。
【０１１６】
以下、ステップＳ９０４について説明する。
制御部１０７ａは、まず、光源オフ命令の受取時の明るさ情報が「明るさ情報Ｘｓ」であったと仮定して、光源オフ命令を受けてから、光源１０１ａの光束が光束＝０に到達するまでの到達時間Ｔ’(Ｘｓ)を、以下のように算出する。
Ｚ光源OFF−Ｚ’(Ｘｓ)＞０であるとき
【数１４】
2018054784.tif 000016
Ｚ光源OFF−Ｚ’(Ｘｓ)≦０であるとき、
Ｔ’(Ｘｓ)＝０  ・・・（２４）
【０１１７】
続いて、制御部１０７ａは、
Ｚ’target(ｓ，Ｘ光源on)＝Ｚ’target(ｓ’，Ｘｓ)・・・（２５）
を満たす時間ｓ’を算出する。
ここで、時間ｓ’は、光源オフ命令の受取時の明るさ情報が明るさ情報Ｘｓであったと仮定した場合に用いる光束変化曲線［光源オフ用］において、光束Ｚ’targetが現在の光源１０１ａの目標光束Ｚ’target(ｓ，Ｘ光源on)になるまでの経過時間を示す。
なお、目標光束Ｚ’target(ｓ，Ｘ光源on)は、上述した（８）式で表される。
また、目標光束Ｚ’target (ｓ’，Ｘｓ)は、
【数１５】
2018054784.tif 000017
である。よって、（２５）式は、
【数１６】
2018054784.tif 000018
を意味する。制御部１０７ａは、（２７）式から時間ｓ’を導く。
【０１１８】
次に、制御部１０７ａは、算出した経過時間ｓ’を用いて
【数１７】
2018054784.tif 000019
の演算を実行する。
【０１１９】
〔Ｔ’(Ｘｓ)−ｓ’〕は、光源オフ命令の受取時に明るさ情報Ｘｓに基づいて算出された到達時間Ｔ(Ｘｓ)から、光源オフ命令の受取時からの経過時間ｓ’を減算した時間を示す。
さらに言えば、〔Ｔ’(Ｘｓ)−ｓ’〕は、今後、光束変化曲線［光源オフ用］として（２６）式が用いられる状況において、光源１０１ａの光束が光束＝０に到達するまでの残り時間を表している。
【０１２０】
一方、〔Ｔ’(Ｘ光源on)−ｓ〕は、光源オフ命令の受取時に明るさ情報Ｘ光源onに基づいて算出された到達時間Ｔ’(Ｘ光源on)から、光源オフ命令の受取時からの経過時間ｓを減算した時間を示す。
さらに言えば、〔Ｔ’(Ｘ光源on)−ｓ〕は、今後、光束変化曲線［光源オフ用］として（８）式が用いられる状況において、光源１０１ａの光束が光束＝０に到達するまでの残り時間を表している。
【０１２１】
光源オン命令の受付時の明るさ情報Ｘ光源onと、光源オフ命令の受取時から時間ｓが経過した時点での明るさ情報Ｘｓが等しい場合には、時間ｓ＝時間ｓ’が成立し、（２８）式の算出結果は０（つまり、残り時間が等しい）となる。
このため、（２８）式の算出結果が０の場合、制御部１０７ａは、光束変化曲線［光源オフ用］を変更せずに維持する。
なお、本実施形態では、（２８）式の算出結果が第２閾値（thresholdoff）以下である場合、制御部１０７ａは、光束変化曲線［光源オフ用］を変更せずに維持する。つまり、制御部１０７ａは、（２８）式の算出結果が第２閾値（thresholdoff）以下である場合、制御用の明るさ情報を、新たに取得した明るさ情報に更新する必要がないと判断する。
【０１２２】
一方、光源オン命令の受付時の明るさ情報Ｘ光源onと、光源オフ命令の受取時から時間ｓが経過した時点での明るさ情報Ｘｓが異なり、かつ、（２８）式の算出結果が第２閾値（thresholdoff）よりも大きい場合、例えば、
【数１８】
2018054784.tif 000020
が成り立つ場合、制御部１０７ａは、制御用の明るさ情報を、新たに取得した明るさ情報に更新する必要があると判断する。
以上が、ステップＳ９０４についての説明である。
【０１２３】
制御部１０７ａは、ステップＳ９０４で制御用の明るさ情報を、新たに取得した明るさ情報に更新する必要がないと判断すると（ステップＳ９０４：ＮＯ）、ステップＳ９０１を実行する。
一方、制御部１０７ａは、ステップＳ９０４で制御用の明るさ情報を、新たに取得した明るさ情報に更新する必要があると判断すると（ステップＳ９０４：ＹＥＳ）、制御用の明るさ情報を、新たに取得した明るさ情報に更新する（ステップＳ９０５）。
【０１２４】
制御部１０７ａは、制御用の明るさ情報を更新すると、ステップＳ９０１に戻り、更新後の制御用の明るさ情報に応じて変更時間を制御する。本実施形態では、制御部１０７ａは、光束変化曲線［光源オフ用］を、更新前の制御用の明るさ情報に応じた光束変化曲線［光源オフ用］から、更新後の制御用の明るさ情報に応じた光束変化曲線［光源オフ用］に切り換える。
【０１２５】
具体的には、光源オフ命令の受取時から時間ｓ変化が経過したときに（２９）式が成立する場合、そのときの明るさ情報を明るさ情報Ｘｓ変化と表すと、制御部１０７ａは、時間ｓ変化以降に用いる光束変化曲線［光源オフ用］を、
時間ｓ経過後の目標光束Ｚ’target(ｓ−Δ，Ｘｓ変化)、
ただし、Δ＝ｓ変化−ｓ’，ｓ＞ｓ変化  ・・・（３０）
に変更する。
【０１２６】
制御部１０７ａは、光束Ｚが光束＝０に到達するまで、ステップＳ９０１以降の処理を繰り返す。
具体的には、制御部１０７ａは、光束変化曲線［光源オフ用］を変更した後も、単位時間が経過するごとに明るさ情報Ｘｓを取得する。
【０１２７】
続いて、制御部１０７ａは、（２５）式と同様に、
Ｚ’target(ｓ−Δ，Ｘｓ変化)＝Ｚ’target(ｓ’’，Ｘｓ)・・・（３１）
を満たすｓ’’を算出する。
【０１２８】
続いて、制御部１０７ａは、
【数１９】
2018054784.tif 000021
と第２閾値（thresholdoff）とを比較する。
【０１２９】
続いて、制御部１０７ａは、
【数２０】
2018054784.tif 000022
が成り立つ場合に、光束変化曲線［光源オフ用］を変更する。
【０１３０】
具体的には、その時の明るさ情報を「明るさ情報Ｘｓ’変化」と表すと、制御部１０７ａは、光束変化曲線［光源オフ用］を
時間ｓ経過後の目標光束Ｚ’target(ｓ−Δ，Ｘｓ’変化)、
ただし、Δ＝ｓ’変化−ｓ’’，ｓ＞ｓ’変化  ・・・（３４）
とする。
【０１３１】
各光束変化曲線［光源オフ用］は、明るさ情報に適した光束変化を実現する制御を示すため、急激な画像の明るさの変化を軽減できると共に、明るさ情報（周辺照度）が十分に明るい状態に変化した場合に、時間をかけて徐々に画像を暗くするようなムダな時間を消費することを抑制できる。
また、各光束変化曲線は最大でもβ以内に最終目標の光束に到達するように設計されているので、明るさ情報（周辺照度）の変化に関わらず、（ｃ）光源オフの動作を最大でもβ以内に完了することができる。
【０１３２】
図１０は、第２実施形態の（ｃ）光源オフの動作の一例を示した図である。
図１０において、通常モードにおいて画像に依存した光源１０１ａの光束変化が曲線Ｎ２で示されている。
【０１３３】
制御部１０７ａは、通常モード下で光源オフ命令を受け取る。光源オン命令の受取時の明るさ情報は、明るさ情報Ｘ光源onであり、光源オフ命令の受取時の光源１０１ａの光束は光束Ｚ光源offである。
制御部１０７ａは、明るさ情報Ｘ光源onと光束Ｚ光源offとに基づいて、光束変化曲線［光源オフ用］Ｚ’１を決定する。制御部１０７ａは、時間の経過とともに、光束変化曲線［光源オフ用］Ｚ’１に従って光源１０１ａの光束を制御する。制御線Ｙ’１は、光束変化曲線［光源オフ用］Ｚ’１に従った制御結果を示す。
【０１３４】
制御部１０７ａは、単位時間が経過するごとに、測定部１０５から明るさ情報Ｘｓを取得する。制御部１０７ａは、明るさ情報Ｘｓを取得するごとに、（２８）式の演算を実行する。
【０１３５】
図１０に示した例では、時間ｓ変化が経過したときに、（２８）式が成立するとしている。そのため、制御部１０７ａは、時間ｓ変化が経過したときの明るさ情報Ｘｓ変化に基づいて、光束変化曲線［光源オフ用］Ｚ’２を決定する。
【０１３６】
そして、制御部１０７ａは、光源１０１ａの光束を制御するために使用する光束変化曲線［光源オフ用］を、光束変化曲線［光源オフ用］Ｚ’１から光束変化曲線［光源オフ用］Ｚ’２に変更する。
【０１３７】
なお、図１０において、光束変化曲線［光源オフ用］Ｚ’２と傾きが等しい光束変化曲線［光源オフ用］Ｚ’２０は、光源オン命令の受取時の明るさ情報が明るさ情報Ｘｓ変化であったと仮定した場合に、光源オフ命令の受取りに応じて決定される光束変化曲線［光源オフ用］である。
【０１３８】
光束変化曲線［光源オフ用］Ｚ’２は、光束変化曲線［光源オフ用］Ｚ’１において時間ｓ変化が経過した時点の目標光束が、光束変化曲線［光源オフ用］Ｚ’２０における目標光束と一致するように、光束変化曲線［光源オフ用］Ｚ’２０をｓ軸方向に平行移動したものである。
【０１３９】
続いて、制御部１０７ａは、時間の経過とともに、光束変化曲線［光源オフ用］Ｚ’２に従って光源１０１ａの光束を制御する。制御線Ｙ’２は、光束変化曲線［光源オフ用］Ｚ’２に従った制御結果を示す。
【０１４０】
その後も、制御部１０７ａは、単位時間が経過するごとに、測定部１０５から明るさ情報Ｘｓを取得する。制御部１０７ａは、明るさ情報Ｘｓを取得するごとに、（３２）式の演算を実行する。
【０１４１】
図１０に示した例では、時間ｓ’変化が経過したときの明るさ情報Ｘｓ’変化に関して、以下の（３５）式が成立している。
【数２１】
2018054784.tif 000023
そのため、制御部１０７ａは、時間ｓ’変化が経過したときの明るさ情報Ｘｓ’変化に基づいて、光束変化曲線［光源オフ用］Ｚ’３を決定する。
そして、制御部１０７ａは、光源１０１ａの光束を制御するために使用する光束変化曲線［光源オフ用］を、光束変化曲線［光源オフ用］Ｚ’２から光束変化曲線［光源オフ用］Ｚ’３に変更する。
【０１４２】
なお、図１０において、光束変化曲線［光源オフ用］Ｚ’３と傾きが等しい光束変化曲線［光源オフ用］Ｚ’３０は、光源オン命令の受取時の明るさ情報が明るさ情報Ｘｓ’変化であったと仮定した場合に、光源オフ命令の受取りに応じて決定される光束変化曲線［光源オフ用］である。
【０１４３】
光束変化曲線［光源オフ用］Ｚ’３は、光束変化曲線［光源オフ用］Ｚ’２において時間ｓ’変化が経過した時点の目標光束が、光束変化曲線［光源オフ用］Ｚ’３０における目標光束と一致するように、光束変化曲線［光源オフ用］Ｚ’３０をｓ軸方向に平行移動したものである。
【０１４４】
光源オフ動作を開始してから、光源１０１ａの光束が最終目標の光束＝０に到達すると、制御部１０７ａは動作モードを光源オフモードに移行する。
【０１４５】
なお、制御部１０７ａは、光源オン命令を受け取り、光束変化曲線［光源オン用］に従って光源１０１ａの光束を上げている間において、光源オン命令の受取時から時間ｓoffが経過した時点で光源オフ命令を受け取った場合、光源１０１ａの光束を制御するために使用する光束変化曲線を、光束変化曲線［光源オン用］から光束変化曲線［光源オフ用］に切り換える。
【０１４６】
以下、この状況での動作を説明する。なお、光源オン動作中の光源１０１ａの光束変化は、光束Ｚfinalと明るさ情報Ｘに基づいて決定した時間Ｔ(Ｘ)および目標光束Ｚtarget（ｓ，Ｘ）に従って動作しているとする。
ただし、明るさ情報Ｘは、光源オン命令の受取時の明るさ情報Ｘ光源onとは限らず、単位時間ごとに計測した明るさ情報のいずれかになる場合もある。この場合には、目標光束Ｚtarget（ｓ，Ｘ）は、（１７）式または（２１）式に示した時間シフトΔの演算を含んだ光束変化曲線［光源オン用］となる。
【０１４７】
光束変化曲線［光源オン用］に従って光源１０１ａの光束を上げている間に光源オフ命令を受けた場合、図９に示された処理が実行されるが、ステップＳ４０２では、制御部１０７ａは、光源オフ命令の受取時の光源１０１の光束Ｚtarget（ｓoff，Ｘ）を光束Ｚ光源OFFとして用いる。
【０１４８】
この後、明るさ情報の変化に応じて光束変化曲線［光源オフ用］を変更する制御、および、光源１０１ａの光束が光束＝０に到達する前に光源オン命令を受信した場合に光束変化曲線を変更する制御は、前述の通りである。
【０１４９】
図１１は、光束変化曲線に従って光源１０１ａの光束をあげている間に光源オフ命令を受け取った場合の動作の一例を示した図である。
図１１に示した例では、光源１０１ａの光束をあげている間において、光源オン命令の受取時から時間ｓoffが経過した時点で光源オフ命令が受け取られると、制御部１０７ａは、光源１０１ａの光束を制御するために使用する光束変化曲線を、光束変化曲線［光源オン用］Ｚ５から光束変化曲線［光源オフ用］Ｚ’４に切り換える。
【０１５０】
一方、制御部１０７ａは、光源オフ命令を受け取り、光束変化曲線に従って光源１０１ａの光束を下げている間において、光源オフ命令の受取時から時間ｓonが経過した時点で光源オン命令を受け取った場合、光源１０１ａの光束を制御するために使用する光束変化曲線を、光束変化曲線［光源オフ用］から光束変化曲線［光源オン用］に切り換える。
【０１５１】
以下、この状況での動作を説明する。なお、光源オフ動作中の光源１０１ａの光束変化は、光束Ｚ光源OFFおよび明るさ情報Ｘに基づいて決定した時間Ｔ’(Ｘ)および目標光束Ｚ’target（ｓ，Ｘ）に従って動作しているとする。
ただし、明るさ情報Ｘは、光源オン命令の受取時の明るさ情報Ｘ光源onとは限らず、単位時間ごとに計測した明るさ情報のいずれかになる場合もある。この場合には、目標光束Ｚ’target（ｓ，Ｘ）は、（３０）式または（３４）式に示した時間シフトΔの演算を含んだ光束変化曲線［光源オフ用］となる。
【０１５２】
光束変化曲線［光源オフ用］に従って光源１０１ａの光束を下げている間に光源オン命令を受けた場合、制御部１０７ａは、光源１０１ａの光束が光束＝０の状況下で光源オン命令を受け取ったときの明るさ情報Ｘ光源onと最終目標の光束Ｚfinalとから、（１）式と、（２）式または（３）式とを用いて、時間Ｔ(Ｘ光源on)および目標光束Ｚtarget(ｓ，Ｘ光源on)を算出する。
【０１５３】
続いて、制御部１０７ａは、Ｚ’target(ｓoff，Ｘ)＝Ｚtarget(ｓ’，Ｘ光源on)となる経過時間ｓ’を算出する。
そして、制御部１０７ａは、光源オン命令の受取後は、光源オン命令の受取時の明るさ情報がＸ光源onであり、現在の経過時間が時間ｓ’であるとみなして、光束変化曲線［光源オン用］Ｚtarget(ｓ，Ｘ光源on)を算出し、この光束変化曲線［光源オン用］Ｚtarget(ｓ，Ｘ光源on)に従って光源１０１ａの光束を制御する。
【０１５４】
この後、明るさ情報の変化に応じて光束変化曲線［光源オン用］を変更する制御、および、光源１０１ａの光束が最終目標の光束Ｚfinalに到達する前に光源オフ命令を受信した場合に光束変化曲線を変更する制御は、前述の通りである。
【０１５５】
図１２は、光束変化曲線［光源オフ用］に従って光源１０１ａの光束を下げている間に光源オン命令を受け取った場合の動作の一例を示した図である。
図１２に示した例では、光源１０１ａの光束を下げている間において、光源オフ命令の受取時から時間ｓonが経過した時点で光源オン命令が受け取られると、制御部１０７ａは、光源１０１ａの光束を制御するために使用する光束変化曲線を、光束変化曲線［光源オフ用］Ｚ’６から光束変化曲線［光源オン用］Ｚ６に切り換える。
【０１５６】
本実施形態によれば、画像の明るさを変更している間の明るさ情報に応じて、変更時間が変更される。このため、画像の明るさを変更している間に、周囲の明るさが、画像の明るさの変更が目立つような明るさになった場合に、画像の明るさの変更に要する時間を長くすることが可能になる。よって、画像の明るさの変化を認識され難くすることが可能になる。
【０１５７】
＜変形例＞
本発明は、上述した各実施形態に限定されるものではなく、例えば、次に述べるような各種の変形が可能である。また、次に述べる変形の態様の中から任意に選択された一または複数の変形を適宜組み合わせることもできる。
【０１５８】
＜変形例１＞
測定部１０５が、プロジェクター１００または１００Ａから独立した測定装置に設けられ、プロジェクター１００または１００Ａが、測定部１０５の出力した明るさ情報を測定装置から受信し、その明るさ情報を用いて変更時間を制御してもよい。
【０１５９】
図１３は、測定部１０５が測定装置２００に設けられ、プロジェクター１００Ｂが測定装置２００と通信する表示システム３００を示した図である。図１３において、図２に示したものと同一構成のものには同一符号を付してある。
【０１６０】
測定装置２００は、測定部１０５と通信部２０１とを含んで構成されている。通信部２０１は、送信部の一例である。通信部２０１は、プロジェクター１００Ｂと無線で通信可能である。なお、通信部２０１は、プロジェクター１００Ｂと有線で通信可能であってもよい。通信部２０１は、測定部１０５が出力した明るさ情報をプロジェクター１００Ｂに送信する。例えば、通信部２０１は、プロジェクター１００Ｂから明るさ情報の要求を受信すると、そのときに測定部１０５が出力している明るさ情報を、プロジェクター１００Ｂに送信する。
【０１６１】
プロジェクター１００Ｂは、測定部１０５の代わりに明るさ情報通信部１０８を含む点でプロジェクター１００と異なる。以下、プロジェクター１００Ｂについて、プロジェクター１００と相違する点を中心に説明する。
明るさ情報通信部１０８は、測定装置２００から明るさ情報を受信する。例えば、明るさ情報通信部１０８は、明るさ情報が必要な場合（制御部１０７が光源オン命令を受け取ったとき）に、測定装置２００に明るさ情報の要求を送信し、その要求に応じた明るさ情報、つまり、明るさ情報Ｘ光源onを受信する。明るさ情報通信部１０８は、明るさ情報Ｘ光源onを制御部１０７に出力する。
【０１６２】
変形例１によれば、測定部１０５の設置位置の制約が、測定部１０５がプロジェクターに組み込まれている場合に比べて小さくなり、必要な位置に測定部１０５を配置しやすくなる。
【０１６３】
なお、図６に示した第２実施形態においても、プロジェクター１００Ａが、測定部１０５の代わりに明るさ情報通信部１０８を含み、変形例１のように、明るさ情報通信部１０８が、測定装置２００から明るさ情報を受信してもよい。この場合、明るさ情報通信部１０８は、光源オン動作および光源オフ動作がされている間、測定装置２００に明るさ情報の要求を送信し、その要求に応じた明るさ情報を受信する。
【０１６４】
＜変形例２＞
各実施形態において、測定部１０５にプロジェクターからの光が入射する場合には、測定部１０５が出力する明るさ情報から、プロジェクターからの光による増加分を差し引く等の処理が施されることが好ましい。例えば、測定部１０５にプロジェクターからの光が入射することが判明している場合、出荷前に、測定部１０５が出力する明るさ情報におけるプロジェクターからの光による増加分を測定し、その測定値が、測定部１０５が出力する明るさ情報から差し引かれる。
【０１６５】
＜変形例３＞
各実施形態では、説明を簡単にするため、計測した明るさ情報がそのまま使われている。一方、明るさ情報にはある程度のふらつきが発生する可能性がある。そのため、制御部１０７または１０７ａは、明るさ情報の時間平均等の演算を行うことによって明るさ情報のふらつき（変化）を平滑化し、その平滑化された値を用いて、変更時間を制御してもよい。
明るさ情報に関するこの処理と、第１閾値または第２閾値によって、周囲の明るさの変化に対する過敏な反応を抑制可能になる。
【０１６６】
＜変形例４＞
各実施形態では、変更制御モードとして第１〜第３モードが選択可能であったが、変更制御モードとしては少なくとも第１モードがあればよい。
【０１６７】
＜変形例５＞
各実施形態では、コンテンツ再生装置として、パーソナルコンピュータが用いられたが、コンテンツ再生装置はパーソナルコンピュータに限らず適宜変更可能である。
【０１６８】
＜変形例６＞
各実施形態では、説明の簡略化のために、光束変化曲線として単純な直線が用いられた。しかしながら、光束変化曲線は、直線に限らず任意の曲線（例えば、人間の視覚特性に基づいて決定された曲線）であってもよい。例えば、光束変化曲線は、図１４に示したような形状の曲線Ｄ１またはＤ２でもよい。
【０１６９】
＜変形例７＞
各実施形態では、単位時間として１秒が用いられたが、単位時間は１秒に限らず適宜変更可能である。
【０１７０】
＜変形例８＞
各実施形態では、表示装置としてプロジェクターが用いられたが、表示装置はプロジェクターに限らず適宜変更可能である。例えば、表示装置は、直視型のディスプレイあってもよい。
【符号の説明】
【０１７１】
１００…プロジェクター、１０１…表示部、１０１ａ…光源、１０１ｂ…光変調部、１０１ｃ…投射光学系、１０２…通信部、１０３…映像信号処理部、１０４…受取部、１０５…測定部、１０６…記憶部、１０７…制御部。
【図１】
2018054784.tif 000024
【図２】
2018054784.tif 000025
【図３】
2018054784.tif 000026
【図４】
2018054784.tif 000027
【図５】
2018054784.tif 000028
【図６】
2018054784.tif 000029
【図７】
2018054784.tif 000030
【図８】
2018054784.tif 000031
【図９】
2018054784.tif 000032
【図１０】
2018054784.tif 000033
【図１１】
2018054784.tif 000034
【図１２】
2018054784.tif 000035
【図１３】
2018054784.tif 000036
【図１４】
2018054784.tif 000037